(57)【要約】【課題】文字板の取り付け作業や取り外し作業が容易に行える時計を提供すること。【解決手段】文字板２０の一端部から指針軸５０が挿通される位置までに切欠溝２１を設け、この切欠溝２１の幅寸法Ｌ２は指針軸５０の直径Ｌ１よりも大きく形成されているので、指針軸５０を切欠溝２１内に配置した状態で文字板２０を指針軸５０に直交する方向にスライド移動させることができる。これにより、指針５０の取り外しを行わなくても文字板２０を交換できるので、文字板２０の取り付けや取り外しの作業をより容易に行うことができる。【選択図】  図１
2005043067.tif 000002
【特許請求の範囲】
【請求項１】
時計ケースと、この時計ケースの内部に収納されるムーブメントと、このムーブメントの指針軸に固定される指針と、前記ムーブメント及び前記指針の間に設けられる文字板とを備えた時計において、
前記文字板は、前記指針軸の直径よりも大きな幅寸法の切欠溝を有し、
前記指針軸は、この切欠溝に挿通されていることを特徴とする時計。
【請求項２】
請求項１に記載の時計において、
前記切欠溝を塞ぐ飾り板が設けられていることを特徴とする時計。
【請求項３】
請求項２に記載の時計において、
前記ムーブメントの上面に前記文字板を位置決めする文字板受け座が設けられ、
前記飾り板は、文字板受け座と一体形成されていることを特徴とする時計。
【請求項４】
請求項１から請求項３のいずれかに記載の時計において、
前記時計ケースの側面には、前記文字板の幅寸法以上の大きさの挿入孔が設けられ、
前記文字板は、この挿入孔に挿入されて取り付けられていることを特徴とする時計。
【請求項５】
請求項４に記載の時計において、
前記文字板の端部には前記挿入孔を塞ぐ引出蓋が取り付けられ、
この引出蓋は時計ケースに着脱自在に固定されていることを特徴とする時計。
【請求項６】
請求項５に記載の時計において、
前記文字板は、前記引出蓋に着脱可能に取り付けられていることを特徴とする時計。
【請求項７】
請求項５または請求項６に記載の時計において、
前記引出蓋と前記時計ケースとの間に防水手段が設けられていることを特徴とする時計。
【発明の詳細な説明】
【０００１】
【発明の属する技術分野】
本発明は指針を用いた時計に関する。特に文字板を容易に取り付けられる時計に関する。
【０００２】
【背景技術】
時計の文字板は、通常ムーブメントと指針との間に固定されているが、この文字板を自由に選択でき、文字板の取替えを可能とした時計もある（例えば、特許文献１）。このような時計は、指針軸から指針を取り外した後、文字板の略中心に設けられた軸孔に、ムーブメントの指針軸を挿通して文字板を位置決め固定し、その上から指針軸に指針を固定していた。
【０００３】
【特許文献１】
実開平７−１４３９７号公報
【０００４】
【発明が解決しようとする課題】
しかしながら、このような時計では、文字板に設けられる軸孔に指針軸を挿通して、この文字板をムーブメントに固定しているため、文字板を取り替える時には指針を取り外す必要があり、文字板の取替え後、再び指針を固定する必要がある。この指針の着脱作業には、特殊な工具が必要となり、また作業者の熟練度も必要となるため、大変困難な作業となる。
【０００５】
本発明は斯かる実情に鑑み、文字板の取り付け作業や取り外し作業が容易に行える時計を提供するものである。
【０００６】
【課題を解決するための手段】
本発明は、時計ケースと、この時計ケースの内部に収納されるムーブメントと、このムーブメントの指針軸に固定される指針と、前記ムーブメント及び前記指針の間に設けられる文字板とを備えた時計において、前記文字板は、前記指針軸の直径よりも大きな幅寸法の切欠溝を有し、前記指針軸は、この切欠溝に挿通されていることを特徴とする。
【０００７】
この発明によると、文字板に切欠溝が設けられ、この切欠溝の幅寸法は前記指針軸の直径よりも大きく形成されているので、前記文字板をムーブメントに取り付ける作業では、指針軸に指針を固定した状態で、文字板をスライド移動させてムーブメントと指針との間に装着することができる。また、文字板の取り外しの作業では、指針軸に取り付けられた指針を取り外すことなしに、文字板をスライド移動させて取り外すことができる。従って指針の取り外しを行わなくても文字板の取り付けや取り外しの作業を容易に行うことができる。
【０００８】
また本発明では、前記切欠溝を塞ぐ飾り板が設けられていることが好ましい。
この時、飾り板は前記切欠溝の指針側に設けられているものでもよく、前記ムーブメント側に設けられているものでもよい。この発明では、前記飾り板が前記切欠溝の指針側に設けられている場合は、前記切欠溝は飾り板に隠されて外部に露出されることがなく、目立たなくなるので、外観が良好となる。また、前記飾り板が前記切欠溝のムーブメント側に設けられている場合は、飾り板によって切欠溝からムーブメントが露出するのを防ぐため、外観が良好となる。
【０００９】
そして、前記ムーブメントの上面に前記文字板を位置決めする文字板受け座が設けられ、前記飾り板は、文字板受け座と一体形成されていることが好ましい。
この発明によると、前記飾り板は文字板受け座の一端部から指針軸に向かって一体的に形成されているので、前記文字板受け座と前記飾り板とを一体的に一部材として製造することができ、この一部材で前記文字板を位置決めするとともに前記切欠溝を覆い隠すことができる。これにより、部品点数の減少を図れ、さらに組み立て性も向上する。
【００１０】
また本発明では、前記時計ケースの側面には、前記文字板の幅寸法以上の大きさの挿入孔が設けられ、前記文字板は、この挿入孔に挿入されて取り付けられていることが好ましい。
文字板を挿入した後、この挿入孔は、隙間が生じないように、文字板自身または他の蓋等によって塞がれていてもよい。
この発明によると、前記文字板は前記時計ケースの側面に設けられる挿入孔から挿入されるので、前記時計ケースに前記ムーブメントを収納した状態で前記文字板を挿入孔から装着可能である。これにより、前記文字板の取り付け、取り外しの作業は、ムーブメントや裏蓋を時計ケースから外さずに行えるので、文字板の設置がより簡単になり組み立て性が向上する。
【００１１】
さらに本発明では、前記文字板の端部には前記挿入孔を塞ぐ引出蓋が取り付けられ、この引出蓋は時計ケースに着脱可能に固定されていることが好ましい。
この発明では、前記文字板の端部が引出蓋に取り付けられ、この文字板を前記挿入孔に挿入して装着した後、引出蓋を時計ケースに固定するので、引出蓋によって挿入孔が塞がれる。さらに、前記文字板は引出蓋を介して時計ケースに間接的に固定されるので、文字板が直接時計ケースに固定されていなくてもがたを防ぐことができる。また、この引出蓋は文字板の取り付けや取り外しの作業時には、文字板の取手として機能し、この引出蓋を持って前記文字板をムーブメントと指針との間でスライド移動させることで、文字板を出し入れすることができるので、より簡単に文字板の取り付けや取り外しの作業が行える。
【００１２】
そしてこの時本発明では、前記文字板は、前記引出蓋に着脱可能に取り付けられているが好ましい。
この発明では、前記文字板が引出蓋に着脱可能に取り付けられているので、文字板を取り替える時に、引出蓋および文字板の両方を交換する必要がなく、文字板を引出蓋から取り外して他の文字板に変更することができる。これにより、引出蓋ごと文字板を変更する場合に比べて、引出蓋をそのまま使用して文字板のみを変更するので、変更時にかかるコストを低減することができる。
【００１３】
また本発明では、前記引出蓋と前記時計ケースとの間に防水手段が設けられていることが好ましい。
この発明によれば、前記引出蓋と前記時計ケースとの間に防水手段が設けられているので、水滴の浸入を防ぐことができる。従って、一般的な日常生活で遭遇する水を防ぐレベルである日常生活防水としての防水性が実現でき、このような防水性を通常必要とする腕時計等において使用できる。
【００１４】
【発明の実施の形態】
以下、本発明の実施の形態を図示例と共に説明する。
〔第一実施形態〕
本発明の第一実施形態を図１から図３に基づいて説明する。図１は第一実施形態の時計１００の正面図、図２は第一実施形態の時計１００の断面図、図３は第一実施形態の時計１００の分解斜視図である。
図１から図３において、時計１００は、腕時計であり、時計ケース１０と、時計ケース１０に収納されるムーブメント４０と、ムーブメント４０の略中心に回転可能に設けられる指針軸５０と、指針軸５０に固定される指針６０と、ムーブメント４０の上面で指針６０との間に設けられる文字板受け座３０と、文字板受け座３０に当接して取り付けられる文字板２０と、時計ケース１０の裏側に固定される裏蓋７０と、図示しない腕時計用のバンドとを備えている。
【００１５】
時計ケース１０は、内部にムーブメント４０や指針６０等を収納するスペースを有している。時計ケース１０の上面には透明なガラスやプスチック等により形成された透明板１１が設けられていて、時計１００の内部に収納される指針６０や文字板２０が視認可能となっている。第一実施形態では、時計１００は略正方形に形成されているが、これに限らず、時計のデザイン等により略円形や略楕円形、または三角形や六角形などの略多角形状に形成されているものでもよい。
【００１６】
時計ケース１０に収納されているムーブメント４０は、内部にゼンマイや電池等の図示しない動力発生装置が収納されている。この動力発生装置で発生した動力はムーブメント４０の内部に設けられる輪列等の図示しない駆動機構を駆動させ、この駆動力によってムーブメント４０の略中心に設けられている指針軸５０が回転する仕組みとなっている。指針軸５０は、ムーブメント４０の上面４１（時計ケース１０の透明板１１側）に対して略垂直に設けられている。この指針軸５０に長針と短針からなる指針６０が取り付けられている。
【００１７】
文字板受け座３０はムーブメント４０の上面４１に固定されている。この文字板受け座３０の一端部には文字板受け座３０に対して立ち上がる立上部３２が設けられ、この立上部３２の文字板受け座３０の反対側となる端部には指針軸５０の方向に伸びる飾り板３３が設けられている。これらの文字板受け座３０と立上部３２と飾り板３３とは、一体形成されていて、例えば、アルミ等の金属板をプレス成型等することによって製造されるものである。
【００１８】
この文字板受け座３０は、第一実施形態では、ムーブメント４０の上面４１で略正方形に形成されているが、これは時計１００の形状やムーブメント４０の形状に合わせて形成したものであって、この形状に限定されるものではない。また、文字板受け座３０の大きさにおいても、第一実施形態では、ムーブメント４０の上面４１より若干大きく形成されていて、ムーブメント４０を覆い隠しているが、これに限らず、例えば、ムーブメント４０の上面４１と同等の大きさやあるいはそれより小さく形成されているものでもよい。
文字板受け座３０のムーブメント４０への固定は、接着剤、ねじ止め、かぎ爪等による係止等、各種接着手段を用いることができる。また、文字板受け座３０の略中心点には指針軸５０が貫通される軸孔３１が設けられていて、この軸孔３１に指針軸５０を貫通させて文字板受け座３０の中心点を位置決めできるようにしている。
【００１９】
立上部３２は文字板受け座３０に略垂直に設けられ、この文字板受け座３０と飾り板３３とを連結している。立上部３２の高さ寸法は、文字板２０の厚み寸法より大きく設定されていて、文字板２０は、この高さ寸法の間で、文字板受け座３０と飾り板３３とに挟まれて配置されている。
【００２０】
文字板２０は略正方形に形成されていて、この文字板２０の一辺の略中心から指針軸５０が挿通される略中心に向かって切欠溝２１が形成されている。具体的には、例えば、文字板２０の３時方向の一辺の略中心点から指針軸５０の位置、つまり文字板２０の略中心位置まで切欠溝２１が形成されている。ここでは、文字板２０の形状は略正方形としているが、これに限られるものではなく、例えば円形、楕円形等、時計のデザインに対応して様々な形状に形成されるものである。
【００２１】
この文字板２０の平面方向の大きさは時計ケース１０の透明板１１と同等あるいはそれ以上の大きさに設けられている。また、文字板２０の透明板１１側の表面には、時計の目盛りやデザイン画等が描かれていて、文字板２０の下部に配置される文字板受け座３０やムーブメント４０が視認不可となっている。
文字板２０に形成されている切欠溝２１の幅寸法Ｌ２は、指針軸５０の直径Ｌ１より大きく形成されていて、切欠溝２１に指針軸５０を容易に挿通することができる。従って、指針軸５０に指針６０が固定された状態においても、文字板２０は、文字板受け座３０の平面方向に沿ってスライド移動することができる。
【００２２】
文字板受け座３０の飾り板３３は、立上部３２の文字板受け座３０とは反対側の端部から指針軸５０までの文字板２０の切欠溝２１の上面を覆っている。飾り板３３の幅寸法Ｌ３は切欠溝２１の幅寸法Ｌ２より大きく形成されていて、文字板２０の切欠溝２１は、飾り板３３によって外部から見えないように覆い隠されている。また、この飾り板３３上に目盛りが形成されていて、文字板２０に形成される目盛りと共に時計１００の目盛りを形成している。また、飾り板３３には軸孔３１Ａが設けられていて、指針軸５０が貫通されている。
【００２３】
また、文字板受け座３０は、文字板２０の位置決めとしても機能している。文字板受け座３０の立上部３２の幅寸法は文字板２０の切欠き２１の幅寸法より大きく形成されているため、文字板２０は立上部３２に当接することで９時−３時方向への位置決めをすることができる。また、図１に示すように３時−９時方向に沿う文字板受け座３０の２辺には誘導片３０Ａが設けられていて、文字板２０はこの誘導片３０Ａに沿って文字板受け座３０に対してスライド移動する。従って、時計の１２時−６時方向においても文字板２０の位置決めができ、文字板２０が時計ケース１０に対して回転することを防止している。また、この文字板２０を時計ケース１０に位置決めする構造としてはこれに限定されず、例えば、文字板２０に切欠きまたは凹部を形成し、文字板受け座３０にこの切欠きまたは凹部に係合する係合部を形成し、係合部を切欠きまたは凹部に係合させることで文字板２０と文字板受け座３０を位置決めしているものであってもよい。
【００２４】
裏蓋７０は時計ケース１０の透明板１１とは反対側から固定される部材である。この時、裏蓋７０の時計ケース１０への固定には、例えば、裏蓋７０の周縁部に雄ねじ部を形成し、時計ケース１０内周縁に雌ねじ部を設けて、裏蓋７０を時計ケース１０に螺接してもよく、また、裏蓋７０の外周縁にかぎ爪を設け、これを時計ケース１０の内周縁に設けた凹部に引っ掛けて固定するものであってもよい。この時、裏蓋７０が時計ケース１０に着脱可能に固定されているので、後に文字板２０の交換やムーブメント４０のメンテナンスが容易に行うことができる。
【００２５】
このような時計１００の組み立てには図３に示すように、文字板受け座３０の軸孔３１及び飾り板３３の軸孔３１Ａに指針軸５０を貫通させ、ムーブメント４０に文字板受け座３０を固定し、指針軸５０に指針６０を固定する。そして文字板２０を側面からスライド移動させて、切欠溝２１に指針軸５０が挿通されるように装着する。この時、文字板２０が文字板受け座３０と飾り板３３との間に挟まれて配置され、また、切欠溝２１が飾り板３３に覆われて隠れるように装着する。このように文字板２０を配置したムーブメント４０を時計ケース１０に収納して時計ケース１０に対して固定し、時計ケース１０の裏側より裏蓋７０を固定する。
【００２６】
また、この時計１００の文字板２０を交換するには、先ず裏蓋７０を取り外して、ムーブメント４０を取り出した後、文字板２０を側面にスライド移動させてムーブメント４０から取り外す。次に、別の文字板２０を側面からスライド移動させて文字板受け座３０の上面に取り付けた後、ムーブメント４０を時計ケース１０に収納して固定し、最後に裏蓋７０を時計ケース１０に取り付ける。
【００２７】
以上のような第一実施形態では次のような効果が得られる。
（１）文字板２０の一端部から指針軸５０が挿通される位置までに切欠溝２１を設け、この切欠溝２１の幅寸法Ｌ２は指針軸５０の直径Ｌ１よりも大きく形成されているので、指針軸５０を切欠溝２１内に配置した状態で文字板２０を指針軸５０の直交方向にスライド移動させることができる。これにより、文字板２０をムーブメント４０に取り付ける作業では、指針軸５０に指針６０を固定した状態で文字板２０をスライド移動させてムーブメント４０と指針６０との間の文字板受け座３０に容易に装着することができる。また、文字板２０の取り外し作業では、指針軸５０に取り付けられた指針６０を取り外すことなしに文字板２０のみをスライド移動させて取り外すことができる。従って指針５０の取り外しを行わなくても文字板２０を交換できるので、文字板２０の取り付けや取り外しの作業をより容易に行うことができる。
（２）切欠溝２１の指針５０側に飾り板３３が設けられて切欠溝２１を覆っているので、切欠溝２１は飾り板３３に隠されて外部に露出されることがなく、目立たなくなるので、見た目が良好となる。
（３）飾り板３３と、文字板受け座３０と、この飾り部３３及び文字板受け座３０を連結する立上部３２とが一体形成されているので、この一部材で、文字板２０を位置決めするとともに切欠溝２１を覆い隠すことができる。これにより、部品点数の減少を図れ、さらに組み立て性も向上する。
【００２８】
〔第二実施形態〕
次に図４に基づいて本発明の第二実施形態を説明する。図４（Ａ）は第二実施形態の時計１００Ｂの正面図、図の（Ｂ）は時計１００Ｂの断面図である。ここで、第一実施形態と同一の構成要件については同符号で示し、説明を省略する。以下後述する第三実施形態についても同様である。
【００２９】
第一実施形態は、文字板２０をムーブメント４０に取り付けてこのムーブメント４０を時計ケース１０に収納することで文字板２０を設置していたが、第二実施形態はムーブメント４０を時計ケース１０に収納した後に文字板２０を取り付けることができる。
【００３０】
図４において、時計ケース１０Ｂには、一側面に挿入孔１２が設けられている。この挿入孔１２は、時計１０Ｂの断面方向（時計の指針軸５０の軸方向）において、下端面の高さが文字板受け座３０の上面の高さと略同一となるように設けられていて、かつ、この挿入孔の幅寸法は文字板２０Ｂの幅寸法Ｌ４よりも大きく形成されている。従って、文字板２０Ｂは、この挿入孔１２から挿入し、文字板受け座３０の上面にスライド移動させて装着することができる。
【００３１】
文字板２０Ｂの切欠溝２１が設けられていない側の端部には引出蓋２５が取り付けられている。引出蓋２５は長手方向を有する断面略矩形状部材である。引出蓋２５の長手方向に沿う一側面に、長手方向に沿って嵌合溝２３が設けられていて、文字板２０Ｂの切欠溝２１とは反対側の端部がこの嵌合溝２３に嵌合し固定されている。この固定は、接着剤等による接着手段を用いてさらに強固に固定しているものであってもよい。
【００３２】
このような文字板２０Ｂの時計１００Ｂへの取り付けは、引出蓋２５を取手として機能するため、文字板２０Ｂの取り付けが非常に容易に行える。また文字板２０Ｂを取り外し作業においても、この引出蓋２５を取手として、手で持って引き出すことができるため、容易に文字板２０Ｂを引き出すことができる。この引出蓋２５は、引出蓋２５に設けられたねじ孔２８と、時計ケース１０Ｂに設けられたねじ孔１３とに、ねじ２７を螺合させることで時計ケース１０Ｂに着脱自在に固定されている。従って、このねじ２７を取り外して文字板２０Ｂを容易に交換することができる。また、引出蓋２５を時計ケース１０Ｂの間には防水手段としてのパッキン部材２６が設けられていて、水滴等の浸入を防ぐことができる。
【００３３】
また、この時計１００Ｂの文字板２０Ｂを交換するには、ねじ２７を取り外し、引出蓋２５を取手として文字板２０Ｂをスライド移動させて引き抜く。次に、この引き出した文字板２０Ｂを新しい文字板２０Ｂに交換する。この時、引出蓋２５は文字板２０Ｂの端部に固定されているので、文字板２０Ｂと引出蓋２５との両方を交換することになる。そして、この新しい文字板２０Ｂを引出蓋２５を取手にして挿入孔１２よりスライド移動させて文字板受け座３０の上面に装着する。その後、ねじ２７によって引出蓋２５を時計ケース１０Ｂに固定する。
【００３４】
第二実施形態によると、第一実施形態の（１）から（３）の効果に加えて次の効果が得られる。
（４）文字板２０Ｂは時計ケース１０Ｂの一側面に設けられる挿入孔１２から挿入されるので、時計ケース１０Ｂにムーブメント４０を収納した状態でも文字板２０Ｂを挿入孔１２から装着可能である。従って、文字板２０Ｂの取り付け作業や取り外し作業がより容易に行うことができる。
（５）文字板２０Ｂの切欠溝２１と反対側の端部に引出蓋２５が設けられ、この文字板２０Ｂを挿入孔１２に挿入して装着した後、引出蓋２５を時計ケース１０Ｂに固定するので、引出蓋２５によって挿入孔１２が塞がれ、さらに、文字板２０Ｂのがたを防ぐことができる。また、この引出蓋２５は文字板２０の取り付けや取り外しの作業時には、文字板２０の取手として機能し、この引出蓋２５を持って文字板２０Ｂをスライド移動させることで、文字板２０Ｂを容易に出し入れすることができるので、文字板２０Ｂの取り付けや取り外しの作業がより容易に行える。
（６）引出蓋２５は時計ケース１０Ｂにねじ２７によって着脱自在に固定されているため、容易にねじ２７を取り外して引出蓋２５と文字板２０Ｂを取り外すことができる。これにより、文字板２０Ｂを容易に変更することができる。
（７）引出蓋２５と時計ケース１０Ｂとの間にパッキン部材２６が設けられているので、水滴の浸入を防ぐことができる。これにより、一般的な日常生活で遭遇する水を防ぐレベルである日常生活防水（例えば２気圧から１０気圧など）としての防水性を実現でき、このような防水性を通常必要とする腕時計等に本発明を利用することができる。
【００３５】
〔第三実施形態〕
次に図５に基づいて本発明の第三実施形態を説明する。
図５（Ａ）は第三実施形態の時計１００Ｃの平面図、図５（Ｂ）は第三実施形態の時計１００Ｃの断面図である。第二実施形態の時計１００Ｂでは文字板２０Ｂと引出蓋２５が固定されているものであったが、第三実施形態ではこれらの文字板と引出蓋とを容易に分離できるようにしたものである。
【００３６】
図５において、引出蓋２５Ｃの文字板２０Ｃが取り付けられる一側面には、長手方向に沿って取り付け片２９が設けられていて、この取り付け片２９の両端部の上面に係合ピン２４が設けられている。文字板２０Ｃには、引出蓋２５Ｃ側の両端部には図示しない孔部が設けられている。そして、係合ピン２４を文字板２０Ｃの孔部に係合させることで、文字板２０Ｃは引出蓋２５Ｃに着脱可能に取り付けられている。ここで、文字板２０Ｃと引出蓋２５Ｃの取り付け手段はこれに限定されず、例えば、取り付け片２９にかぎ爪等を設けて文字板２０Ｃに予め設けられる凹部に係合させる構造であってもよい。
【００３７】
このような時計１００Ｃの文字板２０Ｃを交換するには、ねじ２７を取り外して、引出蓋２５Ｃを取手として文字板２０Ｃを時計ケース１０Ｂから引き抜く。
そして、引出蓋２５Ｃの係合ピン２４を文字板２０Ｃから外して文字板２０Ｃを引出蓋２５Ｃから取り外し、別の文字板２０Ｃを引出蓋２５の係合ピン２４に係合させて取り付ける。その後、再び引出蓋２５Ｃを取手にして挿入孔１２から文字板２０Ｃをスライダ移動させて文字板受け座３０の上面に装着し、ねじ２７によって引出蓋２５Ｃを時計ケース１０Ｂに固定する。
【００３８】
第三実施形態によると前記各実施形態の（１）〜（７）の効果に加えて次の効果が得られる。
（８）文字板２０Ｃが引出蓋２５Ｃに着脱可能に設けられているので、文字板２０Ｃを変更する際に、引出蓋２５ごと文字板２０Ｂを変更する必要がある第二実施形態に比べて、文字板２０Ｃだけを取り外して変更することができ、引出蓋２５Ｃは変更する必要がない。これにより、文字板２０Ｃの変更にかかるコストを低減することができる。
【００３９】
尚、本発明の時計は、上述の実施形態にのみ限定されるものではなく、本発明の要旨を逸脱しない範囲内において種々変更を加え得ることは勿論である。
【００４０】
例えば、第一から第三実施形態において、文字板２０、２０Ｂ、２０Ｃの切欠溝２１は略正方形の一辺の略中心点から指針軸５０に向かって直線状に設けられているが、これに限らない。例えば、図６に示す変形例のように、文字板２０Ｄが時計ケース１０Ｄの挿入孔１２の端部の固定点１５に回動自在に取り付けられている場合、切欠溝２１はこの固定点１５を中心とした円弧状に文字板２０Ｄの一端部から指針軸５０まで形成されていてもよい。この時、この切欠溝２１の位置に対応して飾り板３３Ｄも円弧状に設ければよい。このように、切欠溝は、時計の指針を指針軸に固定した状態で、文字板を取り付けたりまたは取り外したりすることが可能となるように形成されていればよい。
【００４１】
第二、第三実施形態では、引出蓋を取り付けて文字板の出し入れを容易に行うようにしているが、引出蓋を設けない構造であってもよい。ただし、この場合、文字板の厚み寸法及び幅寸法が、挿入孔の厚み寸法及び幅寸法と略同一に形成されていて、この文字板が挿入孔に嵌合して挿入孔を塞ぎ、かつ、文字板が時計ケースに対してがたつかないように固定されている必要がある。
【００４２】
第二、第三実施形態では、時計ケースと引出蓋との間にパッキン部材を取り付けて防水処理を行っているが、水滴等の浸入がない室内の置時計や掛時計として用いる場合等は防水処理を施す必要はない。
また、第二、第三実施形態において、挿入孔１２は図５、図６において時計の正面方向からみて左側（９時方向）に設けられているが、この位置は限定されず、例えば、右側（３時方向）や上側（１２時方向）、下側（６時方向）に設けられているものであってもよい。ただし、腕時計のようにりゅうず等が時計外部に突出している時計においては、挿入孔１２をりゅうずと同位置に形成すると厚み寸法が大きくなってしまう可能性があるため、りゅうずが設けられる位置とは反対側に挿入孔１２を設ける等、りゅうずと挿入孔１２との位置を別にすることが好ましい。
【００４３】
第二、第三実施形態において、引出蓋２５は時計ケース２０Ｂ，２０Ｃに対して着脱可能に固定されているが、これに対して、引出蓋が時計ケースに完全に固定された構造としても構わない。例えば、店舗や遊園地等の販売店等において、文字板が装着されていない状態の時計と文字板とを別々に準備しておき、店舗側若しくは購入者側の希望に合わせた文字板を選択して時計に装着して販売する場合のように、購入後に文字板を交換する必要がない場合には、引出蓋を時計ケースに完全に固定してもよい。
【００４４】
第一から第三実施形態において、飾り板３３は文字板２０の切欠溝２１の上部を覆うように設けられていているが、これに限らない。例えば、文字板受け座３０の切欠溝２１に対応する位置が隆起していて、切欠溝２１がこの隆起に嵌って装着されるものでもよく、この場合、文字板２０の位置決めを同時に行えるので別途位置決め手段を備える必要がない。また、飾り板３３の一部に孔が設けられ、ムーブメント４０のこの孔に対応する箇所に日付表示装置等を設ける構造にしてもよく、このような時計では、飾り板３３の孔からムーブメント４０の日付表示装置を視認できる。また、飾り板３３の幅寸法は切欠溝２１の幅寸法より同じ寸法以上としているが、これは切欠溝２１を隠してムーブメント４０が視認できないようにすることで、時計のデザイン性を高めるものであり、例えば、デザインによっては飾り板３３の寸法が切欠溝の幅寸法より小さく設定されているものであってもよい。
【００４５】
第一から第三実施形態において、ムーブメント４０の上面に文字板受け座３０が取り付けられているが、文字板受け座３０が取り付けられていないものであっても構わない。この時、第二、第三実施形態では、文字板は引出蓋に固定されているため、引出蓋を時計ケースに固定することで文字板を固定することができる。一方、第一実施形態では、例えば、文字板の回転を規制するような形状に文字板を形成する等、文字板を時計ケースに対して位置決めする工夫をすればよい。
【００４６】
また、第一から第三実施形態において、飾り板３３が切欠溝２１を覆うように形成されていたが、例えば、飾り板が切欠溝のムーブメント側にあるものであってもよく、この場合、切欠溝は外部から視認できるが、ムーブメントは外部から視認できないように隠すことができる。また、飾り板が設けられていないものであってもよい。この場合は切欠溝からムーブメントや文字板受け座が露出してしまうが、このような飾り板を付けない時計としては、例えば、時計内部の様子が透けて見えるスケルトンデザインのような場合に適用することができる。これらの飾り板の有無は時計のデザインによって選択されるものである。
【図面の簡単な説明】
【図１】第一実施形態の時計の平面図。
【図２】第一実施形態の時計の断面図。
【図３】第一実施形態の時計の分解斜視図。
【図４】（Ａ）は第二実施形態の平面図、（Ｂ）は第二実施形態の時計の断面図。
【図５】（Ａ）は第三実施形態の平面図、（Ｂ）は第三実施形態の時計の断面図。
【図６】本発明の一変形例。
【符号の説明】
１０，１０Ｂ，１０Ｄ…時計ケース、１２…挿入孔、２０，２０Ｂ，２０Ｃ…文字板、２１…切欠溝、２５…引出蓋、２６…パッキン部材（防水手段）、３０…文字板受け座、３３…飾り板、４０…ムーブメント、５０…指針軸、６０…指針、７０…裏蓋
【図１】
2005043067.tif 000003
【図２】
2005043067.tif 000004
【図３】
2005043067.tif 000005
【図４】
2005043067.tif 000006
【図５】
2005043067.tif 000007
【図６】
2005043067.tif 000008